(57)【特許請求の範囲】
【請求項１】
トランスと、
前記トランスの一次側を駆動するスイッチング手段と、
前記トランスの二次側において温度を検知する温度検知手段と、
前記トランスの二次側において過電流を検知する過電流検知手段と、
前記トランスの二次側からの信号を前記スイッチング手段に伝達する伝達手段と、
前記温度検知手段からの出力または前記過電流検知手段からの出力に応じて前記伝達手段から前記スイッチング手段への信号の伝達を停止することにより前記スイッチング手段のスイッチングを停止するとともに、前記スイッチングの停止を継続するラッチ手段と、を有し、
前記伝達手段は、信号が入力される入力端子を有し、
前記ラッチ手段によりスイッチングの停止を継続した状態において前記入力端子に信号が入力されることにより前記スイッチングの停止が解除されることを特徴とするコンバータ。
【請求項２】
前記温度検知手段は、検知した温度に応じた電圧と閾値電圧を比較する比較手段を有し、前記ラッチ手段は前記比較手段から前記伝達手段に出力される信号を制御することを特徴とする請求項１に記載のコンバータ。
【請求項３】
前記過電流検知手段は、検知した電流に応じた電圧と閾値電圧を比較する比較手段を有し、
前記ラッチ手段は前記比較手段から前記伝達手段に出力される信号を制御することを特徴とする請求項１に記載のコンバータ。
【請求項４】
前記温度検知手段は、前記コンバータの出力電流に応じて温度が変化する素子を有し、更に、前記素子に取り付けられたヒートシンクとを有し、前記温度検知手段と前記ヒートシンクと基板上の同一パターンに接続されていることを特徴とする請求項１乃至３のいずれか１項に記載のコンバータ。
【請求項５】
前記温度検知手段は素子の温度に応じて抵抗値が変化する素子であることを特徴とする請求項４に記載のコンバータ。
【請求項６】
前記伝達手段は、前記温度検知手段または前記過電流検知手段からの信号を分圧して第二の信号を生成し、前記第二の信号のレベルが変化されることにより前記スイッチングを停止させることを特徴とする請求項１乃至５のいずれか１項に記載のコンバータ。
【請求項７】
記録材に画像を形成する画像形成装置において、
画像を形成するための画像形成手段と、
前記画像形成装置に電力を供給するためのコンバータと、を有し、
前記コンバータは、
トランスと、
前記トランスの一次側を駆動するスイッチング手段と、
前記トランスの二次側において温度を検知する温度検知手段と、
前記トランスの二次側において過電流を検知する過電流検知手段と、
前記トランスの二次側からの信号を前記スイッチング手段に伝達する伝達手段と、
前記温度検知手段からの出力または前記過電流検知手段からの出力に応じて前記伝達手段から前記スイッチング手段への信号の伝達を停止することにより前記スイッチング手段のスイッチングを停止するとともに、前記スイッチングの停止を継続するラッチ手段と、
前記画像形成手段の動作を制御する制御手段と、を有し、
前記制御手段から出力される信号が前記伝達手段に入力されることにより、前記スイッチングの停止が継続された状態を解除することを特徴とする画像形成装置。
【請求項８】
前記画像形成手段を駆動する駆動手段を有し、
前記コンバータは、前記駆動手段に電力を供給することを特徴とする請求項７に記載の画像形成装置。
【発明の詳細な説明】
【技術分野】
【０００１】
本発明は、過電流状態や異常温度状態（過負荷状態）に対して保護機能を有する電源装置に関するものである。
【背景技術】
【０００２】
商用電源から入力される交流電圧の変動、また、交流電圧を変換する電源装置が電力を供給する負荷の変動に対応して電源装置を安定して動作させる必要がある。そのため、電源装置の二次側に過電流を検知する回路や異常温度を検知する回路を設け、夫々の検知回路の出力により電源装置の動作を停止させる保護機能を有する電源装置が知られている（特許文献１参照）。また、電圧（電流）や温度の変動は単調に増加ものではないことが殆どであるため、上記の検知回路の出力が異常値と正常値を繰り返し検知すると、電源装置としては保護機能の動作／非動作を頻繁に繰り返すことになり、出力電圧が不安定になる。このような不安定な動作に陥らないように電源装置の停止時には停止状態を保持するラッチ機能を設けることが一般的である。
【先行技術文献】
【特許文献】
【０００３】
【特許文献１】特開平１１−２１５６９０号公報
【発明の概要】
【発明が解決しようとする課題】
【０００４】
しかしながらラッチ機能を搭載するためにはラッチ回路を追加する必要がある。また、ラッチ回路を追加する代わりに電源装置のスイッチング動作を制御する制御ＩＣの機能としてラッチ機能を設けることも考えられる。しかし、その場合は起動／停止用の信号とは別に電源装置の二次側の検知回路から一次側の制御ＩＣに、ラッチ動作のための信号の伝搬路を追加することになる。このようにいずれの場合も、回路規模が大きくなり、製造コストも増加する可能性がある。従って、回路規模を小さくして電源回路が実装される基板を小型化し、且つ、簡易（安価）に過電流検知、異常高温検知、ラッチ機能を有する電源装置が望まれている。
【課題を解決するための手段】
【０００５】
上記課題を解決するための本発明のコンバータは、トランスと、前記トランスの一次側を駆動するスイッチング手段と、前記トランスの二次側において温度を検知する温度検知手段と、前記トランスの二次側において過電流を検知する過電流検知手段と、前記トランスの二次側からの信号を前記スイッチング手段に伝達する伝達手段と、前記温度検知手段からの出力または前記過電流検知手段からの出力に応じて前記伝達手段から前記スイッチング手段への信号の伝達を停止することにより前記スイッチング手段のスイッチングを停止するとともに、前記スイッチングの停止を継続するラッチ手段と、を有し、前記伝達手段は、信号が入力される入力端子を有し、前記ラッチ手段によりスイッチングの停止を継続した状態において前記入力端子に信号が入力されることにより前記スイッチングの停止が解除されることを特徴とする。
【０００６】
また、本発明の画像形成装置は、画像を形成するための画像形成手段と、前記画像形成装置に電力を供給するためのコンバータと、を有し、前記コンバータは、トランスと、前記トランスの一次側を駆動するスイッチング手段と、前記トランスの二次側において温度を検知する温度検知手段と、前記トランスの二次側において過電流を検知する過電流検知手段と、前記トランスの二次側からの信号を前記スイッチング手段に伝達する伝達手段と、前記温度検知手段からの出力または前記過電流検知手段からの出力に応じて前記伝達手段から前記スイッチング手段への信号の伝達を停止することにより前記スイッチング手段のスイッチングを停止するとともに、前記スイッチングの停止を継続するラッチ手段と、前記画像形成手段の動作を制御する制御手段と、を有し、前記制御手段から出力される信号が前記伝達手段に入力されることにより、前記スイッチングの停止が継続された状態を解除することを特徴とする。
【発明の効果】
【０００７】
以上説明したように、本発明によれば、回路規模を小さくして小型で簡易（安価）に過電流検知、異常高温検知、ラッチ機能を有する電源装置を提供することができる。
【図面の簡単な説明】
【０００８】
【図１】本発明の電源装置の概略構成を説明する図
【図２】実施例１に係るコンバータの詳細回路図
【図３】実施例２に係るコンバータの詳細回路図
【図４】実施例３に係るコンバータの詳細回路図
【図５】ヒートシンクとヒートシンクの足とサーミスタの位置関係を説明する図
【図６】本発明の画像形成装置の全体構成を説明する図
【発明を実施するための形態】
【０００９】
［実施例１］
図６は本発明における画像形成装置１の一例としてのレーザービームプリンタの概略図である。不図示のコンピュータから送信される印刷命令を受信してプリント信号が発生すると、画像形成部３を構成するスキャナユニット２１が画像情報に応じて変調されたレーザ光を出射する。そして、トナーカートリッジ１５内の帯電ローラ１６によって所定の極性に帯電された感光体１９にレーザ光が走査されて感光体１９の表面に静電潜像が形成される。この静電潜像に対して現像器１７からトナーが供給され、感光体１９上に画像情報に応じたトナー画像が形成される。一方、給紙部である給紙カセット１１に積載された記録材（記録紙とも言う）１０はピックアップローラ１２によって一枚ずつ給紙され、搬送ローラ１３によってレジストレーションローラ１４に向けて搬送される。さらに記録材１０は、感光体１９上のトナー画像が感光体１９と転写ローラ２０で形成される転写ニップに到達するタイミングに合わせて、レジストレーションローラ１４によって搬送される。記録材１０が転写ニップを通過する過程で感光体１９上のトナー画像は記録材１０に転写される。その後、記録材１０は加熱装置２で加熱されてトナー画像が記録材１０に加熱定着される。トナー画像が定着された記録材１０は、排紙部であるローラ２６、２７によってプリンタ上部のトレイに排出される。なお、モータ３０は、感光体１９及び加熱装置２を回転駆動し、モータ３１は、ピックアップローラ１２及び搬送ローラ１２、レジストレーションローラ１４を回転駆動する。また高圧電源３２から帯電ローラ１６、現像器１７、転写ローラ２０に高電圧を印加している。電源装置３２は、モータ３０、３１や高圧電源３２、スキャナユニット２１などの電気回路に電源を供給している。
【００１０】
図１は本発明の実施例１における電源装置３２の概略図である。商用電源１００からの入力される交流電圧は整流器１０３（整流ブリッジ回路）を介して、一次平滑コンデンサ１０１へ接続されている。一次平滑コンデンサ１０１と並列に絶縁コンバータ１０４と絶縁コンバータ１０５が接続されている。絶縁コンバータ１０４には負荷１０６が接続されており、絶縁コンバータ１０５には負荷１０９が接続されている。負荷１０６はセンサやＣＰＵ等の信号系の負荷であり、負荷１０９はモータ等のアクチュエータを含むパワー系の負荷である。このように信号系のコンバータとパワー系のコンバータを別々に構成し、装置が稼働していない状態（スリープ時）等においてパワー系のコンバータを停止して、消費電力を低減させることができる。例えば、絶縁コンバータ１０５を停止する場合は、制御部３３内のＣＰＵ１０８から入力端子１１２に対して起動停止用の信号が絶縁コンバータ１０５に伝搬される。
【００１１】
図２はコンバータ１０５の詳細な回路と負荷１０９との接続を示している。図２において、コンバータ１０５は、トランス６１５の一次側にスイッチング部２０１を有する。また、起動停止信号の伝達部２０２と、トランス６１５の二次側に異常温度検知部２０３と過電流検知部２０４、ラッチ部２０５を有している。まず、コンバータ１０５の起動停止信号用の入力端子１１２にＨｉレベルの信号が入力されてコンバータ１０５が負荷１０９へ電圧を出力をする迄の流れを説明する。なおＬＬＣ制御部６０６用の電源は絶縁コンバータ１０４内で生成され、端子６１０を介してコンデンサ６１１にチャージされている。
【００１２】
制御部３３のＣＰＵ１０８から入力端子１１２に入力された起動信号は起動停止信号の伝達部２０２内の抵抗６５２、６５３を介して分圧された信号によりトランジスタ６５１をオンする。フォトカプラ６１３のフォトトランジスタ側がオンすることで抵抗６１２、抵抗６３０に電流が流れ、トランジスタ６０８がオンする。ツェナーダイオード６０９で制限された電圧がコンデンサ６０７およびＬＬＣ制御部６０６の電源ラインであるＶｃｃ６０５に供給される。電源を得たＬＬＣ制御部６０６はＬＬＣ制御部６０６のハイサイド側のスイッチング信号の出力端子６０３からの信号でスイッチ６０１をオンオフする。また、ローサイド側のスイッチング信号の出力端子６０４からの信号でスイッチ６０２のオンオフしてトランス６１５やコンデンサ６１６、６３１に電流を流しながらトランス６１５の２次側に電力を伝搬する。トランス６１５からコンデンサ６１６方向に電流が流れる際にはダイオード６１７を介して、逆にコンデンサ６１６からトランス６１５方向に電流が流れる際にはダイオード６１８を介してコンデンサ６１９に電流が流れて平滑される。そして、コンデンサ６１９から抵抗６６５を介して負荷１０９へ電流が流れる。
【００１３】
次に、負荷１０９への出力電流が過電流となりコンバータ１０５がラッチして停止するまでの流れを説明する。負荷１０９への出力電流は抵抗６６５で電圧に変換される。抵抗６６５の両端電圧が抵抗６６４を介して比較部２１０の−入力に印加される。一方、＋入力には抵抗６６２、６６３で設定される閾値電圧が印加される。比較部２１０で入力電圧が比較され−入力の方が大きい場合、つまり設定した閾値よりも大きい電流が抵抗６６５に流れている場合は比較部２１０の出力はＬｏｗレベルとなる。比較部２１０の出力がＬｏｗレベルになると、ダイオード６５４を介して電流を引き込むことによってトランジスタ６５１をオフする。トランジスタ６５１がオフされるとフォトカプラ６１３の電流も停止して、ＬＬＣ制御部６０６によるスイッチング動作は停止しコンバータ１０５の出力も停止する。
【００１４】
この時、比較部２１０はダイオード６５５を介しても電流を引き込むことになる。これにより比較部２０６の＋入力の電圧を引き下げる。この＋入力の電圧を比較部２０６の−入力である抵抗６６０，６６１で設定された閾値電圧よりも低くすることで比較部２０６の出力がＬｏｗレベルとなる。比較部２０６の出力がＬｏｗレベルとなったことで、比較部２１０の出力がＨｉに戻っても、つまり過電流状態が解除されてもダイオード６５４を介して電流を引き続けることになるのでラッチ機能が働くこととなる。すなわち出力が停止した状態を継続することになる。
【００１５】
次に、異常温度を検知しコンバータ１０５がラッチ停止するまでの流れを説明する。温度を検知する素子としてサーミスタ６５９に抵抗６５７，６５８が接続された構成となっている。サーミスタ６５９は温度が上がると抵抗値が下がり、比較部２０６の＋入力の電圧が低くなる。一方、−入力には抵抗６６０、６６１で設定される閾値電圧が印加される。比較部２０６により入力電圧が比較され−入力の方が大きい場合、つまり設定した閾値よりもサーミスタ温度が高くなった場合は比較部２０６の出力はＬｏｗレベルとなる。比較部２０６の出力がＬｏｗレベルになると、ダイオード６５４を介して電流を引き込むことによってトランジスタ６５１をオフする。トランジスタ６５１がオフされるとフォトカプラ６１３の電流も停止して、スイッチング部２０１へ信号が到達しなくなるためＬＬＣ制御部６０６によるスイッチングは停止しコンバータ１０５の出力も停止する。
【００１６】
この時、比較部２０６はダイオード６５５を介しても電流を引き込むことで比較部２０６の＋入力の電圧をさらに引き下げる。この電圧をサーミスタの温度にかかわらず比較部２０６の−入力である抵抗６６０，６６１で設定された閾値電圧よりも十分低くすることで比較部２０６の出力がＬｏｗとなり続ける。つまり異常温度状態が解除されてもダイオード６５４を介して電流を引き続けることになるのでラッチ機能が働くこととなる。すなわち出力が停止した状態を継続することになる。
【００１７】
なお、起動停止信号の入力端子１１２に入力される信号が比較部２０６，２１０に電源を供給するための信号と兼用されている構成と兼用されていない構成がある。前者の場合は、その後、入力端子１１２への信号をオフする（Ｌｏｗレベルにする）ことで入力端子１１２への信号入力前の状態に戻る。その後、入力端子１１２への信号がオンされれば（Ｈｉレベルになる）、上記で説明した手順でコンバータ１０５が起動する。
【００１８】
一方、後者の場合（兼用されていない場合）は、伝達部２０２へ信号を出力している比較部２０６、２１０の＋入力の電源を入力端子１１２への信号とは別にして、比較部２０６の−入力の電源を入力端子１１２への信号と同じにする。すると入力端子１１２への信号をオフにした（Ｌｏｗレベルにした）時点で比較部２０６，２１０のＬｏｗレベルの出力のラッチが解除され、Ｈｉ出力となる。そのため、その後、入力端子１１２への信号がオンされれば上記で説明した手順でコンバータ１０５が起動する。
【００１９】
以上、説明したように入力端子１１２への信号を、比較部２０６、２１０の出力で引き込むことでオフさせ、コンバータを停止させると共に比較部２０６の入力電圧を変化させる。これにより、小型で安価に過電流件と及び異常温度検知（過負荷検知）、ラッチ機能を実現することができる。
【００２０】
なお、本実施例では絶縁コンバータ１０５をＬＬＣコンバータ（電流共振コンバータ）として説明したが、他種のコンバータ（一例として擬似共振コンバータ等）でも本実施例を適用することが可能である。
【００２１】
また、前述したが入力端子１１２への信号を比較部２０６、２１０の電源と兼用することでコンバータ１０５への入力信号を削減することができる。この場合は制御部３３から出力される起動信号の出力インピーダンスや過渡時における比較部２０６、２１０の出力論理に注意が必要である。なお、図２中の回路においては記号△の一部または全部に制御部３３からの信号を兼用することが可能である。またダイオード６５４は起動信号の電圧や抵抗６５２，６５３の抵抗値、比較部２０６の＋入力の電圧によっては省略することもできる。
【００２２】
ここで図５に本実施例を適用できる回路基板上のパターン図の例を示す。温度検知素子としてのサーミスタ６５９はコンバータ１０５の負荷異常時や部品異常時に温度が上がる懸念のある部品の近傍に設置する。サーミスタ６５９は、素子の温度に応じて抵抗値が変化する素子の一例である。例えば、温度が上がる懸念のある部品がヒートシンクに接続されていた場合、ヒートシンクの足をサーミスタの接続されている回路上の同一パターンに接続すれば非常に熱伝導率のよい経路で温度検知対象からサーミスタに接続できる。これにより反応の良い温度検知が可能となる。本実施例ではダイオード６１７、６１８をヒートシンク８１１に接合し、ヒートシンクの足８１２をコンデンサ６１９の陰極パターンに接続している。サーミスタ６５９はヒートシンク足の近接した位置に配置してある。
【００２３】
［実施例２］
図３は本実施例で用いるコンバータ１０５の詳細な回路を示したものである。実施例１と同様であるスイッチング部などは省略している。なお、本実施例における画像形成装置やコンバータの構成や出力動作は実施例１と同様であるため同様の部分の説明は省略する。以下に、本実施例における異常温度検知部２０３や過電流検知部２０４の接続や動作について詳細に説明する。
【００２４】
図３に基づき負荷１０９への出力電流が過電流となりコンバータ１０５がラッチ停止するまでの流れを説明する。負荷１０９への出力電流は抵抗６６５で電圧に変換される。抵抗６６５の両端電圧が抵抗６６４を介して比較部２１０の−入力に印加される。一方、＋入力には抵抗６６２、６６３で設定される閾値電圧が印加される。両入力電圧が比較され−入力の方が大きい場合、つまり設定した閾値よりも大きい電流が抵抗６６５に流れている場合は比較部２１０の出力はＬｏｗレベルとなり、ダイオード６５４を介して電流を引き込むことによってトランジスタ６５１をオフする。トランジスタ６５１がオフされるとフォトカプラ６１３の電流も停止し、ＬＬＣ制御部６０６によるスイッチングは停止しコンバータ１０５の出力も停止する。
【００２５】
この時、比較部２１０は抵抗７０２を介して電流を引き込むことでトランジスタ７０３がオンされ比較部２０６の−入力の電圧が上昇する。この電圧を比較部２０６の＋入力であるサーミスタ６５９の両端電圧よりも高くすることで、比較部２０６の出力がＬｏｗレベルとなる。比較部２０６の出力がＬｏｗレベルとなったことで、抵抗７０５を介して電流を引き込みトランジスタ７０６がオンして比較部２１０の−入力の電圧が上昇する。この−入力の電圧を比較部２１０の＋入力である抵抗６６２、６６３で設定される閾値電圧よりも高くして抵抗６６５の両端電圧にかかわらず、つまり過電流状態が解除されてもダイオード６５４を介して電流を引き続けることになりラッチ機能が働く。すなわち出力が停止した状態を継続することになる。
【００２６】
次に、異常温度を検知しコンバータ１０５がラッチ停止するまでの流れを説明する。サーミスタ６５９は温度が上がると抵抗値が下がり比較部２０６の＋入力の電圧が低くなる。一方、−入力には抵抗６６０、６６１で設定される閾値電圧が印加される。比較部２０６により入力電圧が比較され−入力の方が大きい場合、つまり設定した閾値よりもサーミスタ温度が高くなった場合は比較部２０６の出力はＬｏｗレベルとなる。そして、抵抗７０５を介して電流を引き込みトランジスタ７０６がオンして比較部２１０の−入力の電圧が上昇する。この−入力の電圧を比較部２１０の＋入力である抵抗６６２、６６３で設定される閾値電圧よりも高くすることで抵抗６６５の両端電圧にかかわらず比較部２１０の出力がＬｏｗとなる。
【００２７】
このように本実施例では、ラッチ部２０５として、トランジスタ７０３、抵抗７０１，７０２からなる回路を有し、論理調整部３０１として、トランジスタ７０６、抵抗７０４，７０５、７０６からなる回路を有する。ラッチ部２０５と論理調整部３０１によって伝達部２０２に出力する信号を停止してラッチした状態を継続する。
【００２８】
比較部２１０の出力はダイオード６５４を介して電流を引き込むことによってトランジスタ６５１をオフする。トランジスタ６５１がオフされるとフォトカプラ６１３の電流も停止し、起動信号はスイッチング部へ到達しなくなるためスイッチングは停止しコンバータ１０５の出力も停止する。
【００２９】
同時に比較部２１０の出力は抵抗７０２を介して電流を引き込むことでトランジスタ７０３がオンされ比較部２０６の−入力の電圧が上昇する。この−入力の電圧をサーミスタの温度にかかわらず比較部２０６の＋入力であるサーミスタ６５９の両端電圧よりも高い電圧にすることで比較部２０６のＬｏｗ出力が保たれラッチ機能が働く。すなわち出力が停止した状態を継続することになる。
【００３０】
なお実施例１と同様に、なお、起動停止信号の入力端子１１２に入力される信号が比較部２０６，２１０に電源を供給するための信号と兼用されている構成と兼用されていない構成がある。前者の場合は、その後、入力端子１１２への信号をオフする（Ｌｏｗレベルにする）ことで入力端子１１２への信号入力前の状態に戻る。その後、入力端子１１２への信号がオンされれば（Ｈｉレベルになる）、上記で説明した手順でコンバータ１０５が起動する。一方、後者の場合は、伝達部２０２へ信号を出力している比較部２０６、２１０の＋入力の電源を入力端子１１２への信号とは別にして、比較部２０６の−入力の電源を入力端子１１２への信号と同じにする。すると入力端子１１２への信号をオフにした（Ｌｏｗレベルにした）時点で比較部２０６，２１０のＬｏｗレベルの出力のラッチが解除され、Ｈｉ出力となる。そのため、その後、入力端子１１２への信号がオンされれば上記で説明した手順でコンバータ１０５が起動する。
【００３１】
以上、説明したように入力端子１１２への信号を、比較部２１０の出力で引き込むことでオフさせ、コンバータを停止させると共に比較部２０６の入力電圧を変化させる。これにより、小型で安価に過電流件と及び異常温度検知（過負荷検知）、ラッチ機能を実現することができる。
【００３２】
［実施例３］
図４は本実施例で用いるコンバータ１０５の詳細回路を示したものである。実施例１と同様であるスイッチング部等は説明を省力する。本実施例における画像形成装置やコンバータの構成や出力動作は実施例１と同様であるため説明は省略し、異常温度検知部２０３や過電流検知部２０４の接続や動作について説明を行う。本実施例では実施例２とは異なり論理調整が不要となる構成であり論理調整部３０１は入力＝出力の単純な接続回路となっている。
【００３３】
まず、負荷１０９への出力電流が過電流となりコンバータ１０５がラッチ停止するまでの流れを説明する。負荷１０９への出力電流は抵抗６６５で電圧に変換される。抵抗６６５の両端電圧が抵抗６６４を介して比較部２１０の−入力に印加される。一方、＋入力には抵抗６６２、６６３で設定される閾値電圧が印加される。比較部２１０によって入力電圧が比較され−入力の方が大きい場合、つまり設定した閾値よりも大きい電流が抵抗６６５に流れている場合は比較部２１０の出力はＬｏｗレベルとなり、比較部２０６の＋入力を低下させる。この＋入力の電圧を比較部２０６の−入力である抵抗６６０，６６１で設定された閾値電圧よりも低くすることで比較部２０６の出力がＬｏｗレベルとなる。比較部２０６の出力がＬｏｗとなり、ダイオード６５４を介して電流を引き込むことによってトランジスタ６５１をオフする。トランジスタ６５１がオフされるとフォトカプラ６１３の電流も停止し、ＬＬＣ制御部６０６によるスイッチングは停止しコンバータ１０５の出力も停止する。
【００３４】
この時、比較部２０６は抵抗７０２を介して電流を引き込むことでトランジスタ７０３がオンされ比較部２０６の−入力の電圧が上昇する。この電圧を比較部２０６の＋入力であるサーミスタ６５９の両端電圧よりも高くすることで、比較部２０６の出力がＬｏｗレベルとなる。過電流状態が解除され、比較部２１０の出力がＨｉレベルとなっても、比較部２０６の−入力の電圧が比較部２０６の＋入力の電圧より高くなるよう設定することでラッチ機能が働くこととなる。すなわち出力が停止した状態を継続することになる。
【００３５】
次に、異常温度検知が働きコンバータ１０５がラッチ停止するまでの流れを説明する。サーミスタ６５９は温度が上がると抵抗値が下がり比較部２０６の＋入力の電圧が低くなる。一方、−入力には抵抗６６０、６６１で設定される閾値電圧が印加される。比較部２０６で入力電圧が比較され−入力の方が大きい場合、つまり設定した閾値よりもサーミスタ温度が高くなった場合は比較部２０６の出力はＬｏｗレベルとなり、ダイオード６５４を介して電流を引き込むことによってトランジスタ６５１をオフする。トランジスタ６５１がオフされるとフォトカプラ６１３の電流も停止し、起動信号はスイッチング部へ到達しなくなるためスイッチングは停止しコンバータ１０５の出力も停止する。
【００３６】
このように本実施例では、過電流検知部２０４から出力された信号を温度検知部２０３のサーミスタ６５９に接続した構成（論理調整部３０１に相当）とすることで、伝達部２０２への信号を停止することにより、ラッチした状態を継続する。
【００３７】
この時、比較部２０６は抵抗７０２を介して電流を引き込むことでトランジスタ７０３がオンされ比較部２０６の−入力の電圧が持ち上がる。この−入力の電圧をサーミスタの温度にかかわらず比較部２０６の＋入力であるサーミスタ６５９の両端電圧よりも高い電圧にすることで比較部２０６のＬｏｗ出力が保たれラッチ機能が働く。すなわち出力が停止した状態を継続することになる。
【００３８】
なお実施例１と同様に、なお、起動停止信号の入力端子１１２に入力される信号が比較部２０６，２１０に電源を供給するための信号と兼用されている構成と兼用されていない構成がある。前者の場合は、その後、入力端子１１２への信号をオフする（Ｌｏｗレベルにする）ことで入力端子１１２への信号入力前の状態に戻る。その後、入力端子１１２への信号がオンされれば（Ｈｉレベルになる）、上記で説明した手順でコンバータ１０５が起動する。一方、後者の場合は、伝達部２０２へ信号を出力している比較部２０６、２１０の＋入力の電源を入力端子１１２への信号とは別にして、比較部２０６の−入力の電源を入力端子１１２への信号と同じにする。すると入力端子１１２への信号をオフにした（Ｌｏｗレベルにした）時点で比較部２０６，２１０のＬｏｗレベルの出力のラッチが解除され、Ｈｉ出力となる。そのため、その後、入力端子１１２への信号がオンされれば上記で説明した手順でコンバータ１０５が起動する。
【００３９】
以上、説明したように入力端子１１２への信号を、比較部２１０の出力で引き込むことでオフさせ、コンバータを停止させると共に比較部２０６の入力電圧を変化させる。これにより、小型で安価に過電流件と及び異常温度検知（過負荷検知）、ラッチ機能を実現することができる。
【符号の説明】
【００４０】
３２  電源装置
３３    制御部
１０４  絶縁コンバータ
１０５  絶縁コンバータ
１０８  ＣＰＵ
２０２  起動停止信号の伝達部
２０３  異常温度検知部
２０４  過電流検知部
２０５  ラッチ部
３０１  論理調整部
【図１】
0006748483.tif 000002
【図２】
0006748483.tif 000003
【図３】
0006748483.tif 000004
【図４】
0006748483.tif 000005
【図５】
0006748483.tif 000006
【図６】
0006748483.tif 000007